(57)【要約】【課題】可逆熱変色層を迅速且つ容易に熱変色させることができる筆記具を提供する。装飾性が向上し、高級感を有する外観が得られる筆記具を提供する。【解決手段】外面に環状装飾部５３を有する筒体２からなり、環状装飾部５３の外面に、手指の接触により熱変色可能な可逆熱変色層１０を設ける。環状装飾部５３の外面を筒体２の他の外面より径方向外方に突出させる。環状装飾部５３の外面を凸曲面状とする。可逆熱変色層１０の上面に透明性金属光沢顔料を含む金属光沢層を形成する。【選択図】  図１
2012187846.tif 000002
【特許請求の範囲】
【請求項１】
外面に環状装飾部を有する筒体からなる筆記具であって、前記環状装飾部の外面に、手指の接触により熱変色可能な可逆熱変色層を設けたことを特徴とする筆記具。
【請求項２】
前記環状装飾部の外面を該環状装飾部の隣接する前記筒体の外面より径方向外方に突出させた請求項１記載の筆記具。
【請求項３】
前記環状装飾部の外面を縦断面において凸曲面状とした請求項１または２記載の筆記具。
【請求項４】
前記可逆熱変色層の上面に透明性金属光沢顔料を含む金属光沢層を形成した請求項１乃至３のいずれかに記載の筆記具。
【発明の詳細な説明】
【技術分野】
【０００１】
本発明は、筆記具に関する。
【背景技術】
【０００２】
従来、特許文献１には、文房具表面の適宜位置に、手先の接触乃至摩擦により変色する可逆熱変色層を設けた文房具が開示されている。また、特許文献１には、前記文房具が筆記具の場合、可逆熱変色層を軸筒の表面部分に設けることが記載されている。
【０００３】
また、特許文献２には、軸筒前部の外面に、滑り止め機能をもつ可逆熱変色性を有する外皮を設けたことが記載されている、
【先行技術文献】
【特許文献】
【０００４】
【特許文献１】特開平９−２９５４８９号公報
【特許文献２】特開２０００−１０３１９１号公報
【発明の概要】
【発明が解決しようとする課題】
【０００５】
前記特許文献１において、軸筒表面の前後方向に渡って可逆熱変色層を設けた場合、前記可逆熱変色層の全体を手指の接触によって迅速に熱変色させることが困難である。
【０００６】
また、特許文献２の場合、可逆熱変色性を有する外皮が、滑り止めを有する外皮であるため、光沢感が乏しく、高級感を有する外観を得ることとは困難である。
【０００７】
本発明は、前記従来の問題点を解決するものであって、可逆熱変色層を迅速且つ容易に熱変色させることができる筆記具を提供しようとするものである。
また、本発明は、装飾性が向上し、高級感を有する外観が得られる筆記具を提供しようとするものである。
尚、本発明で、「前」とは、ペン先側を指し、「後」とは、その反対側を指す。
【課題を解決するための手段】
【０００８】
本願の第１の発明は、外面に環状装飾部５３を有する筒体２からなる筆記具であって、前記環状装飾部５３の外面に、手指の接触により熱変色可能な可逆熱変色層１０を設けたことを要件とする。
【０００９】
前記第１の発明の筆記具１は、前記環状装飾部５３の外面に、手指の接触により熱変色可能な可逆熱変色層１０を設けたことにより、手指で環状装飾部５３を摘むようにして筆記具１を僅かに回転させるだけで、可逆熱変色層１０を迅速且つ容易に熱変色させることができる。
【００１０】
本願の第２の発明は、前記第１の発明の筆記具１において、前記環状装飾部５３の外面を該環状装飾部５３の隣接する前記筒体２の外面より径方向外方に突出させたことを要件とする。
【００１１】
前記第２の発明の筆記具１は、前記環状装飾部５３の外面を該環状装飾部５３の隣接する前記筒体２の外面より径方向外方に突出させたことにより、環状装飾部５３を視認だけでなく、手指の感触で確認しながら、手指を環状装飾部５３の外面に接触させることができ、可逆熱変色層１０をより一層、迅速且つ容易に熱変色させることができる。
【００１２】
本願の第３の発明は、前記第１または第２の発明の筆記具１において、前記環状装飾部５３の外面を縦断面において凸曲面状としたことを要件とする。
【００１３】
前記第３の発明の筆記具１は、環状装飾部５３の外面を縦断面において凸曲面状としたことにより、手指を容易に環状装飾部５３の外面に接触させることができ、可逆熱変色層１０をより一層、迅速且つ容易に熱変色させることができる。
【００１４】
本願の第４の発明は、前記第１、第２または第３の発明の筆記具１において、前記可逆熱変色層１０の上面に透明性金属光沢顔料を含む金属光沢層を形成したことを要件とする。
【００１５】
前記第４の発明の筆記具１は、前記可逆熱変色層１０の上面に透明性金属光沢顔料を含む金属光沢層を形成したことにより、環状装飾部５３の装飾性が向上し、高級感を有する外観が得られる。
【００１６】
・環状装飾部
前記環状装飾部５３は、円環状であることが好ましい。それにより、手指の接触状態を維持させながら筆記具１を円滑に回転させることができる。前記環状装飾部５３の前後の幅寸法は、一度の手指の接触状態による回転で迅速且つ容易な熱変色可能が可能な点で、１０ｍｍ以下が好ましい。また、前記環状装飾部５３は、筒体２の複数個所に設けることもできる。
【００１７】
・可逆熱変色層
前記可逆熱変色層１０中に含まれる可逆熱変色性組成物としては、従来より公知の（イ）電子供与性呈色性有機化合物、（ロ）電子受容性化合物、及び（ハ）前記両者の呈色反応の生起温度を決める反応媒体、の必須三成分を含む可逆熱変色性組成物が有効であり、発色状態からの加熱により消色する加熱消色型可逆熱変色性組成物としては、特公昭５１−４４７０６号公報、特公昭５１−４４７０７号公報、特公平１−２９３９８号公報等に記載の組成物が利用できる。
【００１８】
前記組成物は、所定の温度（変色点）を境としてその前後で変色し、完全消色温度以上の温度域で消色状態を呈し、完全発色温度以下の温度域で発色状態を呈し、前記両状態のうち常温域では特定の一方の状態しか存在しない。即ち、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性を有する。
【００１９】
又、加熱消色型可逆熱変色性組成物として、特公平４−１７１５４号公報、特開平７−１７９７７７号公報、特開平７−３３９９７号公報、特開平８−３９９３６号公報等に記載された、温度変化による着色濃度の変化をプロットした曲線の形状が、温度を変色温度域より低温側から上昇させていく場合と、逆に変色温度域より高温側から下降させていく場合とで大きく異なる経路を辿って変色し、完全発色温度以下の低温域での発色状態、又は、完全消色温度以上の高温域での消色状態が特定温度域で互変化的に記憶保持できるヒステリシス幅が比較的大きい特性を有する色彩記憶保持型可逆熱変色性顔料も利用できる。
【００２０】
更には、消色状態からの加熱により発色し、温度降下により消色する加熱発色型可逆熱変色性組成物も利用でき、電子受容性化合物として、炭素数３乃至１８の直鎖又は側鎖アルキル基を有する特定のアルコキシフェノール化合物を適用した系（特開平１１−１２９６２３号公報、特開平１１−５９７３号公報）、特定のヒドロキシ安息香酸エステルを適用した系（特開２００１−１０５７３２号公報）、特定の没食子酸エステル等を適用した系（特開２００３−２５３１４９号公報）が挙げられる。
【００２１】
前記した可逆熱変色性組成物は、そのままの適用でも有効であるが、マイクロカプセルに内包して使用するのが好ましい。それは、種々の使用条件において可逆熱変色性組成物は同一の組成に保たれ、同一の作用効果を奏することができるからである。前記微小カプセルに内包させることにより、化学的、物理的に安定なマイクロカプセル顔料を構成でき、粒子径０．１〜３０μｍ、好ましくは０．５〜１０μｍの範囲が実用性を満たす。
【００２２】
尚、マイクロカプセル化は、従来より公知の界面重合法、ｉｎ
Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。
【００２３】
前記可逆熱変色性組成物をビヒクル中に分散したインキや塗料を用いて、従来より公知の方法、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により、環状装飾部５３の外面に可逆熱変色層１０を形成できる。更には、前記可逆熱変色性組成物を内包したマイクロカプセル顔料を、熱可塑性樹脂或いは熱硬化性樹脂中にブレンドして形成した成形体を可逆熱変色層１０として用いてもよい。更に、各層が成形体により形成される場合は、各層を接着して積層体が得られる。前記した可逆熱変色層１０には、非熱変色性有色染顔料の適宜量を混在させて熱変色層の色変化を多彩に構成することもできる。
【００２４】
また、前記可逆熱変色層１０は、可逆熱変色性組成物をビヒクル中に分散したインキや塗料を用いて、適宜の文字、数字、記号、図形、図柄等を形成してもよい。また、前記可逆熱変色層１０の下層に、非熱変色性有色染顔料による非熱変色層を形成し、該非熱変色層を前記可逆熱変色層１０により隠顕させる構成にしてもよい。また、前記可逆熱変色層１０の上層に非変色層を形成してもよい。前記非熱変色層は、適宜の文字、数字、記号、図形、図柄等からなるものでもよい。
【００２５】
前記可逆熱変色層１０は、前記環状装飾部５３の外面の一部または全体に設けられる。
【００２６】
・金属光沢層
前記透明性金属光沢顔料は、天然雲母、合成雲母、偏平ガラス片、薄片状酸化アルミニウム等から選ばれる透明性芯物質を金属酸化物で被覆したもの、あるいは視点により色調が変化するカラーフロップ性を有する金属光沢顔料（例えばコレステリック液晶型光輝性顔料）が挙げられる。
【００２７】
前記透明性金属光沢顔料をビヒクル中に分散したインキや塗料を用いて、従来より公知の方法、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により環状装飾部５３の外面の可逆熱変色層１０の上面に金属光沢層を形成できる。更には、前記金属光沢顔料を熱可塑性樹脂或いは熱硬化性樹脂中にブレンドして形成した成形体を金属光沢層として用いてもよい。
【発明の効果】
【００２８】
本発明の筆記具は、可逆熱変色層を迅速且つ容易に熱変色させることができる。
【図面の簡単な説明】
【００２９】
【図１】本発明の実施の形態のペン先没入状態を示す正面図である。
【図２】図１の縦断面図である。
【図３】図１のペン先突出状態を示す縦断面図である。
【発明を実施するための形態】
【００３０】
図１乃至図３に本発明の実施の形態を示す。
【００３１】
本実施の形態の筆記具１は、軸筒２（筒体）内に複数本（具体的には４本）の筆記体６が前後方向に移動可能に収容されている。前記各々の筆記体６は、弾発体８（具体的には圧縮コイルスプリング）により、後方に付勢されている。前記軸筒２内に収容する複数本の筆記体６は、４本以外にも、例えば、２本、３本、５本、６本であってもよい。
【００３２】
・軸筒
前記軸筒２が、前軸３と、後軸４と、前記前軸３と前記後軸４とを連結する筒状の接続部材５とからなる。前記接続部材５は、前軸３の後端に螺着されるととともに、後軸４の前端に螺着される。
【００３３】
・前軸
前記前軸３及び前記後軸４は、合成樹脂製または金属製の円筒体よりなる。前記前軸３は、先細状の前端部を有する。前記前軸３の前端には、前記筆記体６のペン先６１が出没可能な前端孔３１が前後方向に貫設される。前記前軸３の後端開口部内面には、雌ネジ部が形成される。
【００３４】
・後軸
前記後軸４の側壁には、複数本（具体的には２本）の前後方向に延びる細長状の窓孔４１が径方向に貫設される。また、前記後軸４の窓孔４１の相互間の側壁内面には、前後方向に延びるリブよりなる係止壁部４２が形成され、前記係止壁部４２に、ペン先６１が突出した際の筆記体６の操作体７の後端が係止される。前記後軸４の窓孔４１の相互間の側壁外面には、クリップ(図示せず)が設けられる。前記後軸４の前端開口部内面には、雌ネジ部が形成される。
【００３５】
前記後軸４の内面には、弾発体支持部９が固定される。前記弾発体支持部９は、各々の筆記体６が挿通可能な内孔を備える。前記弾発体支持部９の後面に、各々の弾発体８の前端が支持される。
【００３６】
・接続部材
前記接続部材５は、合成樹脂製または金属製の円筒体よりなる。前記接続部材５は、前部５１と、後部５２と、前記前部５１と前記後部５２との間に形成される鍔状の環状装飾部５３とからなる。前記環状装飾部５３は、円環状に形成される。前記環状装飾部５３は、前後の幅寸法が０．５ｍｍ〜３ｍｍに設定されている。
【００３７】
前記前部５１及び前記後部５２の外面には、雄ネジ部が形成される。前記前部５１の雄ネジ部が、前記前軸３の後端開口部内面の雌ネジ部と螺合される。前記後部５２の雄ネジ部が、前記後軸４の前端開口部内面の雌ネジ部と螺合される。前記前軸３と前記後軸４とを接続部材５を介して着脱自在に螺着することにより、軸筒２内の筆記体６が交換可能となる。
【００３８】
前記環状装飾部５３の外面は、該環状装飾部５３の隣接する軸筒２の外面（即ち、前軸３後端部の外面および後軸４前端部の外面）より径方向外方に突出している。前記環状装飾部５３の外面は縦断面において凸曲面状に形成される。前記環状装飾部５３の外面には、可逆熱変色層１０が形成される。前記可逆熱変色層１０の上面に透明性金属光沢顔料を含む金属光沢層が形成される。前記可逆熱変色層１０は、手指の接触（即ち手指の体温または手指との摩擦熱）により熱変色可能である。
【００３９】
・可逆熱変色層
前記可逆熱変色層１０は、可逆熱変色性マイクロカプセル顔料（３０℃以下で黒色、３０℃以上で無色）１０部、及び、バインダー樹脂を含む溶剤系インキビヒクル９０部に分散させて可逆熱変色性溶剤系スプレーインキを調整した。前記可逆熱変色性溶剤系スプレーインキをスプレーガンにて環状装飾部５３の表面全面にスプレー塗装を行い、乾燥硬化後、可逆熱変色層１０とした。
【００４０】
前記金属光沢層は、フレーク状酸化珪素を酸化鉄で被覆した透明性金属光沢顔料〔メルク社製、Ｃｏｌｏｒｓｔｒｅａｍ  Ｆ１０−００（Ａｕｔｕｍｎ  Ｍｙｓｔｅｒｙ）粒子径５〜５０μｍ〕１０部とバインダー樹脂を含む溶剤系インキビヒクル９０部に分散させて金属光沢調溶剤系スプレーインキを調整した。前記金属光沢調溶剤系スプレーインキをスプレーガンにて前記可逆熱変色層１０上にスプレー塗装を行い、乾燥硬化後、金属光沢層を形成させた。
【００４１】
・筆記体
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、インキが収容される。前記インキ収容管６２内のインキの後端には、インキの消費に伴い前進する高粘度流体からなる追従体が充填される。
【００４２】
・操作体
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる後側突出部７３と、該操作部７１の反対側の後側突出部７３の前方に設けられる前側突出部７２と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００４３】
前記筆記体６のペン先６１が没入状態のとき、その筆記体６に取り付けられた操作体７の後端部は、軸筒２（後軸４）後端部の当接壁部４３に衝止される。一方、筆記体６のペン先６１が突出状態のとき、その筆記体６に取り付けられた操作体７の後端部は、軸筒２（後軸４）の内壁に形成された係止壁部４２に係止される。
【００４４】
ペン先没入状態にある筆記体６の後端に連結された操作体７の前側突出部７２は、その操作体７の操作部７１を前方にスライド操作した際、先にペン先突出状態にある他の筆記体６の後端に連結された操作体７の後側突出部７３と当接され、他の筆記体６のペン先突出状態が解除される。
【００４５】
即ち、本実施の形態の筆記具１は、軸筒２内に筆記体６を前後方向に移動可能に収容し、前記筆記体６を弾発体８により後方に付勢し、前記筆記体６の後端に操作体７を接続し、前記軸筒２の側壁に前後方向に延びる窓孔４１を径方向に貫設し、前記窓孔４１から径方向外方に前記操作体７の操作部７１を突出させ、前記操作部７１を前方に押圧操作し前記操作体７を前記窓孔４１に沿って前方にスライドさせることにより前記筆記体６のペン先６１を前記軸筒２の前端孔３１から突出させる出没式筆記具（多芯筆記具）である。
【００４６】
本実施の形態の筆記具１は、前記環状装飾部５３の外面に、手指の接触により熱変色可能な可逆熱変色層１０を設けたことにより、手指で環状装飾部５３を摘むようにして筆記具１を僅かに回転させるだけで、可逆熱変色層１０を迅速且つ容易に熱変色させることができる。
【００４７】
本実施の形態の筆記具１は、前記環状装飾部５３の外面を該環状装飾部５３の隣接する前記筒体２の外面より径方向外方に突出させたことにより、環状装飾部５３を視認だけでなく、手指の感触で確認しながら、手指を環状装飾部５３の外面に接触させることができ、可逆熱変色層１０をより一層、迅速且つ容易に熱変色させることができる。
【００４８】
本実施の形態の筆記具１は、環状装飾部５３の外面を縦断面視で凸曲面状としたことにより、手指を容易に環状装飾部５３の外面に接触させることができ、可逆熱変色層１０をより一層、迅速且つ容易に熱変色させることができる。
【００４９】
本実施の形態の筆記具１は、前記可逆熱変色層１０の上面に透明性金属光沢顔料を含む金属光沢層を形成したことにより、環状装飾部５３の装飾性が向上し、高級感を有する外観が得られる。
【００５０】
尚、本発明の筆記具１は、出没式筆記具以外にも、ペン先６１を備えた軸筒２と、該筆記具本体のペン先６１側に着脱自在に装着されるキャップとからなる筒体２からなるキャップ式筆記具であってもよい。前記キャップ式筆記具の場合、環状装飾部５３は、キャップの開口端外面、キャップの側壁外面、軸筒２の側壁外面に設けられる。
【００５１】
尚、本実施の形態では、前記筆記体６は、軸筒２内に前後方向に移動可能に収容されているが、本発明では、前記筆記体６は、前後に移動可能とする必要はなく、例えば、筆記体６のペン先６１が前端孔３１より外部に常時突出してもよい。
【符号の説明】
【００５２】
１  筆記具
２  軸筒（筒体）
３  前軸
３１  前端孔
４  後軸
４１  窓孔
４２  係止壁部
４３  当接壁部
５  接続部材
５１  前部
５２  後部
５３  環状装飾部
６  筆記体
６１  ペン先
６２  インキ収容管
７  操作体
７１  操作部
７２  前側突出部
７３  後側突出部
７４  嵌入部
７５  鍔部
８  弾発体
９  弾発体支持部
１０  可逆熱変色層
【図１】
2012187846.tif 000003
【図２】
2012187846.tif 000004
【図３】
2012187846.tif 000005